(57)【要約】【課題】胸ベルト等を使用するか否かに係わらず、背負い具ひもが肩からずり落ちるのを防止することができる。【解決手段】２個一対の背負い具ひも２０Ａ、２０Ｂを有し、背負い具ひも２０Ａ、２０Ｂには、上端に背負い具本体１の上部に設けられた取付け部１１に対して着脱自在な第１のフック２３Ａ、２３Ｂがそれぞれ設けられ、下端に背負い具本体１の下部の左右に設けられた取付け部１２Ａ、１２Ｂに対して着脱自在な第２のフック２８Ａ、２８Ｂがそれぞれ設けられている背負い具用ひもである。一対の背負い具ひも２０Ａ、２０Ｂの背中の首筋側に対応する部分には、一対の背負い具ひも２０Ａ、２０Ｂの幅が調整可能な横幅調整帯３６Ａ、３６Ｂが取付けられている。【選択図】      図１
2009011625.tif 000002
【特許請求の範囲】
【請求項１】
２個一対の背負い具ひもを有し、この背負い具ひもには、上端に背負い具本体の上部に設けられた取付け部に対して着脱自在な第１の着脱具がそれぞれ設けられ、下端に背負い具本体の下部の左右に設けられた取付け部に対して着脱自在な第２の着脱具がそれぞれ設けられている背負い具用ひもにおいて、前記一対の背負い具ひもの背中の首筋側に対応する部分には、一対の背負い具ひもの幅が調整可能な横幅調整帯が取付けられていることを特徴とする背負い具用ひも。
【請求項２】
請求項１記載の背負い具用ひもの第１及び第２の着脱具を背負い具本体の上部及び下部の取付け部に取付けたことを特徴とする背負い具。
【請求項３】
２個一対の背負い具ひもは、上端が背負い具本体の上部にそれぞれ固着され、下端が背負い具本体の下部の左右にそれぞれ固着されている背負い具において、前記一対の背負い具ひもの背中の首筋側に対応する部分には、一対の背負い具ひもの幅が調整可能な横幅調整帯が取付けられていることを特徴とする背負い具。
【請求項４】
前記一対の横幅調整帯は、それぞれ前記背負い具ひもに沿って上下動可能に設けられていることを特徴とする請求項１記載の背負い具用ひも、請求項２又は３記載の背負い具。
【請求項５】
前記背負い具ひもは、上方部の肩ひもと、この肩ひもの下部に取付けられた調整具と、この調整具に挿通されて折り返されて調整具折り返し部を形成した調整ひもとを有し、前記調整ひもの調整具折り返し部は、リングに挿通され、一方端部はリングに挿通されて背負い具本体の下部に設けられた取付け部に着脱自在な第２の着脱具を有するか、又は背負い具本体の下部に固着され、他方端部は下方に垂れ下がって端部を前記リングに取付けられて垂れ下がり部を形成していることを特徴とする請求項１又は４記載の背負い具用ひも、請求項２、３又は４記載の背負い具。
【発明の詳細な説明】
【技術分野】
【０００１】
本発明は、背負い具用ひも及び背負い具に関する。
【背景技術】
【０００２】
人の体は、首から肩にかけてなだらかに下がっている。このため、背負い具を背負って歩行する時に、背負い具ひもが首筋からずれ落ちて両腕の肩の方に広がるので、絶えず背負い具ひもの位置を直す必要がある。背負い具ひもがずり落ちるのを防止するには、一般的に特許文献１及び２に示すように、胸ベルト等を用いている。
【特許文献１】実用新案登録第３０２６１４３号公報
【特許文献２】実開平７−１３２２３号公報
【０００３】
特許文献１は、左右の背負い具ひも（背負い帯）を係脱具（ワンタッチ錠）付の胸ベルトで止めるようになっている。
特許文献２は、背負い具（リックサック）の背負面上部より下方向に、下端に調整具（美錠）を取付けた２個の背負い具ひも（肩バンド）を垂設し、該面下部側両端には先端に係脱具（連結金具）を着脱自在に胸バンドが取付けられている。この胸バンドを前記調整具に挿通して固着して設けると共に、該面最下部側両端には胸バンドに取付けられた係脱具と胸前部で交差状に連結固定できる係脱具（連結金具）を先端に着脱自在に取付けた胸バンドを固着して設けている。
【発明の開示】
【発明が解決しようとする課題】
【０００４】
特許文献１のように胸ベルトを用いると、また特許文献２のように胸バンド及び腰バンドを用いると、胸が圧迫されるような感じになる。このため、人によっては胸ベルト等を使用しないで背負ってる。また首から肩にかけての下がり方も、左右均等には下がってはおらず、より下がっている肩の背負い具ひもがずれ易くなる。
【０００５】
本発明の第１の課題は、胸ベルト等を使用するか否かに係わらず、背負い具ひもが肩からずり落ちるのを防止することができる背負い具用ひも及び背負い具を提供することにある。
【０００６】
本発明の第２の課題は、背中に密着するように背負う時も、ゆつたりゆるく背負う場合でも、また左右の肩のいずれかがより下がっている場合においても、背負い具ひもが肩からずり落ちるのを防止することができる背負い具用ひも及び背負い具を提供することにある。
【課題を解決するための手段】
【０００７】
上記課題を解決するための本発明の請求項１は、２個一対の背負い具ひもを有し、この背負い具ひもには、上端に背負い具本体の上部に設けられた取付け部に対して着脱自在な第１の着脱具がそれぞれ設けられ、下端に背負い具本体の下部の左右に設けられた取付け部に対して着脱自在な第２の着脱具がそれぞれ設けられている背負い具用ひもにおいて、前記一対の背負い具ひもの背中の首筋側に対応する部分には、一対の背負い具ひもの幅が調整可能な横幅調整帯が取付けられていることを特徴とする。
【０００８】
上記課題を解決するための本発明の請求項２は、請求項１記載の背負い具用ひもの第１及び第２の着脱具を背負い具本体の上部及び下部の取付け部に取付けたことを特徴とする。
【０００９】
上記課題を解決するための本発明の請求項３は、２個一対の背負い具ひもは、上端が背負い具本体の上部にそれぞれ固着され、下端が背負い具本体の下部の左右にそれぞれ固着されている背負い具において、前記一対の背負い具ひもの背中の首筋側に対応する部分には、一対の背負い具ひもの幅が調整可能な横幅調整帯が取付けられていることを特徴とする。
【００１０】
上記課題を解決するための本発明の請求項４は、上記請求項１、２又は３において、前記一対の横幅調整帯は、それぞれ前記背負い具ひもに沿って上下動可能に設けられていることを特徴とする。
【００１１】
上記課題を解決するための本発明の請求項５は、上記請求項１、２、３又は４において、前記背負い具ひもは、上方部の肩ひもと、この肩ひもの下部に取付けられた調整具と、この調整具に挿通されて折り返されて調整具折り返し部を形成した調整ひもとを有し、前記調整ひもの調整具折り返し部は、リングに挿通され、一方端部はリングに挿通されて背負い具本体の下部に設けられた取付け部に着脱自在な第２の着脱具を有するか、又は背負い具本体の下部に固着され、他方端部は下方に垂れ下がって端部を前記リングに取付けられて垂れ下がり部を形成していることを特徴とする。
【発明の効果】
【００１２】
請求項１によると、横幅調整帯により、一対の背負い具ひもの背中の首筋側に対応する部分の幅を調整できるので、背負い具ひもの首後方部分の広がり幅を調節することができる。これにより、背負い具本体を背負った場合、背負い具ひもの肩部分は首側に位置するようになるので、背負い具ひもが肩からずり落ちるのを防止することができる。即ち、体格によって肩ひもの広がりが調整できるので、子供から大人まで背負い具ひもが肩からずり落ちずに快適に背負うことができる。
【００１３】
請求項４によると、横幅調整帯は背負い具ひもに沿って上下動できるようになっているので、横幅調整帯を上方に位置させて背負い具本体を背負うと、横幅調整帯部分が首に近くなり、背負い具本体を背中に密着するように背負うことができる。逆に横幅調整帯を下方に位置させて背負うと、横幅調整帯部分が首から離れるので、背負い具本体をゆったりと緩く背負うことができる。即ち、横幅調整帯の上下位置を調整することにより、背負い具ひもが肩からずり落ちるのを防止する効果の他に、背中に密着するように、又はゆったりと好みに応じて背負うことができるようなる。また人によっては、左右の肩のいずれかがより下がっている場合がある。この場合には、下がっている側の背負い具ひもの横幅調整帯を上方に移動させると、この際の背負い具ひもの横幅調整帯は斜めになり、下がっている肩側の背負い具ひもが首側に寄せられるので、より快適に背負うことができる。
【００１４】
請求項５によれば、背負い具本体内の収納物を取り出す場合、背負った背負い具本体を体の前側に持ってくることができ、また逆に体の前側の背負い具本体を容易に背負うことができる。また背負い具ひもは、肩ひもと調整ひもの他に、調整具と単純なリングでよく、更に調整具及びリングへの調整ひもの挿入も単純であるので、コスト低減が図れる。
【発明を実施するための最良の形態】
【００１５】
本発明の一実施の形態を図１乃至図５により説明する。図５に示すように、バッグ本体１の上部には、図１乃至図３に示す背負い具ひも２０Ａ、２０Ｂの上部を着脱自在に取付ける輪部よりなる取付け部１１が設けられている。バッグ本体１の下部の左右には、背負い具ひも２０Ａ、２０Ｂの下部を着脱自在に取付ける取付け部１２Ａ、１２Ｂが設けられている。取付け部１２Ａ、１２Ｂはリング１３Ａ、１３Ｂが取付け帯１４Ａ、１４Ｂを介してバッグ本体１の下部に取付けられている。
【００１６】
図１は背負い具ひも２０Ａ、２０Ｂよりなる背負い具用ひもで、図２は一方の背負い具ひも２０Ａを示し、図３は他方の背負い具ひも２０Ｂを示す。背負い具ひも２０Ａと２０Ｂは、ほぼ同じ構造よりなるので、同じ又は相当部材には同一符号を付し、一方の背負い具ひも２０Ａには符号の後にＡを付し、他方の背負い具ひも２０Ｂには符号の後にＢを付して説明する。肩ひも２１Ａ、２１Ｂの上部には連結帯２２Ａ、２２Ｂが固定され、連結帯２２Ａ、２２Ｂには周知のフック２３Ａ、２３Ｂが取付けられている。
【００１７】
肩ひも２１Ａ、２１Ｂの下部には連結帯２４Ａ、２４Ｂが固定され、連結帯２４Ａ、２４Ｂには周知の調整具２５Ａ、２５Ｂの上方部が取付けられている。調整具２５Ａ、２５Ｂの下方部には長尺の調整ひも２６Ａ、２６Ｂが挿通されて折り返されて調整具折り返し部２６ａとなっており、調整具折り返し部２６ａはリング２７Ａ、２７Ｂに挿通されている。調整具折り返し部２６ａのリング２７Ａ、２７Ｂに挿通された下側のひも部の端部には周知のフック２８Ａ、２８Ｂが取付けられている。調整具折り返し部２６ａのリング２７Ａ、２７Ｂに挿通された上側のひも部は下方に垂れ下がり、端部はリング２７Ａ、２７Ｂに取付けられて垂れ下がり部２６ｂとなっている。また垂れ下がり部２６ｂにはリング２９Ａ、２９Ｂが掛けられ、リング２９Ａ、２９Ｂには引張りひも３０Ａ、３０Ｂが取付けられている。
【００１８】
肩ひも２１Ａ、２１Ｂには、連結帯２２Ａと２４Ａ及び２２Ｂと２４Ｂ間の部分に上下位置規制帯３５Ａ、３５Ｂと横幅調整帯３６Ａ、３６Ｂを挿通する上下スライド具３７Ａ、３７Ｂが配設され、その詳細を図４に示す。なお、上下スライド具３７Ａと３７Ｂの部分は同じ構造よりなるので、一方の上下スライド具３７Ａの部分のみ図示し、他方の上下スライド具３７Ｂの部分は図示省略した。
【００１９】
上下スライド具３７Ａ、３７Ｂは、上下位置規制帯３５Ａ、３５Ｂを掛ける横方向に伸びた掛け部３７ａが設けられ、両側方には横幅調整帯３６Ａ、３６Ｂを挿通する横長穴３７ｂ、３７ｂが設けられている。上下位置規制帯３５Ａ、３５Ｂは、上下スライド具３７Ａ、３７Ｂの上方下部より掛け部３７ａの上方を経て上下スライド具３７Ａ、３７Ｂの下方下部に挿通された後、上下端を肩ひも２１Ａ、２１Ｂの上方部分に固定されている。従って、上下スライド具３７Ａ、３７Ｂは上下位置規制帯３５Ａ、３５Ｂに保持され、該上下位置規制帯３５Ａ、３５Ｂに沿って上下動させることができる。
【００２０】
横幅調整帯３６Ａ、３６Ｂは、上下スライド具３７Ａ、３７Ｂの横長穴３７ｂ、３７ｂに挿通して肩ひも２１Ａ、２１Ｂに巻回してリング状に形成され、一方部は対応する他方の肩ひも２１Ａ、２１Ｂ方向に伸びた調整帯３６ａ、３６ｂとなっている。従って、上下スライド具３７Ａ、３７Ｂを前記したように上下位置規制帯３５Ａ、３５Ｂに沿って上下動させると、横幅調整帯３６Ａ、３６Ｂも上下動させられる。一方の調整帯３６ａは、他方の肩ひも２１Ｂ方向に単に伸びているのに対し、他方の調整帯３６ｂには調整具３８が取付けられている。調整具３８には、調整帯３６ａを掛ける掛け部３８ａが設けられている。
【００２１】
次に使用方法について説明する。図６に示すように、背負い具ひも２０Ａ、２０Ｂのフック２３Ａ、２３Ｂを取付け部１１に取付け、フック２８Ａ、２８Ｂを図５に示すリング１３Ａ、１３Ｂに取付ける。また調整具３８の掛け部３８ａ（図３（ａ）参照）の両側に調整帯３６ａを挿通して折り返す。そこで、調整具３８に挿通された調整帯３６ａの一端を引っ張るか、又は緩めることにより、背負い具ひも２０Ａ、２０Ｂの首後方部分の広がり幅を調節することができる。これにより、図７及び図９に示すようにバッグ本体１を背負った場合、背負い具ひも２０Ａ、２０Ｂの肩部分は首側に位置するようになるので、背負い具ひも２０Ａ、２０Ｂが肩からずり落ちるのを防止することができる。即ち、体格によって肩ひも２１Ａ、２１Ｂの広がりが調整できるので、子供から大人まで背負い具ひも２０Ａ、２０Ｂが肩からずり落ちずに快適に背負うことができる。
【００２２】
また横幅調整帯３６Ａ、３６Ｂは肩ひも２１Ａ、２１Ｂに沿って上下動できるようになっている。そこで、横幅調整帯３６Ａ、３６Ｂを上方に位置させてバッグ本体１を背負うと、横幅調整帯３６Ａ、３６Ｂ部分が首に近くなるので、バッグ本体１を背中に密着するように背負うことができる。逆に横幅調整帯３６Ａ、３６Ｂを下方に位置させて背負うと、横幅調整帯３６Ａ、３６Ｂ部分が首から離れるので、バッグ本体１をゆったりと緩く背負うことができる。即ち、横幅調整帯３６Ａ、３６Ｂの上下位置を調整することにより、背負い具ひも２０Ａ、２０Ｂが肩からずり落ちるのを防止する効果の他に、背中に密着するように、又はゆったりと好みに応じて背負うことができるようなる。
【００２３】
また人によっては、左右の肩のいずれかがより下がっている場合がある。この場合には、下がっている側の背負い具ひも２０Ａ又は２０Ｂ、例えば図８に示すように、背負い具ひも２０Ｂの横幅調整帯３６Ｂを上方に移動させると、この際の背負い具ひも２０Ａ、２０Ｂの横幅調整帯３６Ａ、３６Ｂは斜めになり、下がっている肩側の背負い具ひも２０Ｂが首側に寄せられるので、より快適に背負うことができる。
【００２４】
背負ったバッグ本体１より収納物を取り出す際には、図９に示す体の前側に位置する左右の調整具２５Ａ、２５Ｂの一方、例えば図１０に示す調整具２５Ａを上に向けると、２重になっている調整具折り返し部２６ａが緩み、背負い具ひも２０Ａの全長が長くなる。そこで、他方の背負い具ひも２０Ｂを体の前に引き回すと、長くした背負い具ひも２０Ａが首の後ろ側に回り、バッグ本体１を前に回して支えるようになる。これにより、背負い具を持つ必要がなく、両手でバッグ本体１内の収納物を両手で出し入れできる。
【００２５】
背負い具を元に戻す（背負う）場合は、バッグ本体１を体の前から背中に戻し、長くした背負い具ひも２０Ａの２重になっている調整具折り返し部２６ａの上側の調整具折り返し部２６ａを背負うのに具合の良い所まで引く。上側の調整具折り返し部２６ａを引くと、垂れ下がり部２６ｂが胸の前に垂れ下がる。他方の背負い具ひも２０Ｂにおいても、２重になっている調整具折り返し部２６ａの上側の調整具折り返し部２６ａを引くと、同様に垂れ下がり部２６ｂが胸の前に垂れ下がる。この垂れ下がり部２６ｂ部分を握ると、上がり坂等を歩く時に歩き易くなる。また引張りひも３０Ａ、３０Ｂを前に引いて下に引くと、弛んでいた垂れ下がり部２６ｂの部分が２重に綺麗に重なり胸元がスッキリする。
【００２６】
なお、上記実施の形態は、バッグ本体１に背負い具ひも２０Ａ、２０Ｂを着脱自在に取付けたが、背負い具ひも２０Ａ、２０Ｂをバッグ本体１に固定してもよい。即ち、フック２３Ａ、２３Ｂ及び２８Ａ、２８Ｂを取り除き、またバッグ本体１の取付け部１１及び１２Ａ、１２Ｂを取り除く。そして、連結帯２２Ａ、２２Ｂ又は肩ひも２１Ａ、２１Ｂの上端を直接バッグ本体１の上部に固着する。また調整ひも２６Ａ、２６Ｂの取付けひも部２６ａの端部をバッグ本体１の下部の左右に固着する。これにより、背負い具ひも２０Ａ、２０Ｂが一体に取付けられた背負い具が得られる。また上記実施の形態においては、胸ベルトを使用しない場合について説明したが胸ベルトを併用してもよいことは言うまでもない。また一対の背負い具ひもをほぼ対称に形成することにより、右利きでも左利きにも使い易い。
【００２７】
また、上記実施の形態においては、背負い具ひも２０Ａ、２０Ｂをバッグ本体１の取付け部１１及び１２Ａ、１２Ｂに着脱自在に取りつける着脱具として、フック２３Ａ、２３Ｂ，２８Ａ、２８Ｂを用いた場合について説明したが、これに限定されるものではなく、着脱可能なもであればよく、例えば係脱具でもよい。また横幅調整帯３６ａ、３６ｂの長さ調整具３８は、長さが調整可能なものであればよく、例えば係脱具を用いてもよい。また調整具３８を調整帯３６ｂに取付け、調整帯３６ａは単に伸びたものとしたが、逆に調整具３８を調整帯３６ａに取付け、調整帯３６ｂは単に伸びたものとしてもよい。
【図面の簡単な説明】
【００２８】
【図１】本発明の背負い具用ひもの一実施の形態を示す正面図である。
【図２】図１の右側の背負い具ひもを示し、（ａ）は正面図、（ｂ）は側面図である。
【図３】図１の左側の背負い具ひもを示し、（ａ）は正面図、（ｂ）は側面図である。
【図４】図１及び図２の上下スライド具部分の拡大図を示し、（ａ）は平面図、（ｂ）は（ａ）の縦断面図、（ｃ）は（ａ）の横断面図である。
【図５】バッグ本体の一例を示す斜視図である。
【図６】背負い具用ひもをバッグ本体に取付けた状態の部分図である。
【図７】背負い具を背負った状態の背中部分の説明図である。
【図８】図７の状態より一方の上下スライド具を上昇させた状態の背中部分の説明図である。
【図９】背負い具を背負った状態の説明図である。
【図１０】バッグ本体を体の前側に移動させる時の操作説明図である。
【符号の説明】
【００２９】
１    バッグ本体
１１    取付け部
１２    １２Ａ、１２Ｂ
２０Ａ、２０Ｂ    背負い具ひも
２１Ａ、２１Ｂ    肩ひも
２３Ａ、２３Ｂ    フック
２５Ａ、２５Ｂ    調整具
２６Ａ、２６Ｂ    調整ひも
２６ａ    調整具折り返し部
２６ｂ    垂れ下がり部
２８Ａ、２８Ｂ    フック
３５Ａ、３５Ｂ    上下位置規制帯
３６ａ、３６ｂ    調整帯
３６Ａ、３６Ｂ    横幅調整帯
３７Ａ、３７Ｂ    上下スライド具
【図１】
2009011625.tif 000003
【図２】
2009011625.tif 000004
【図３】
2009011625.tif 000005
【図４】
2009011625.tif 000006
【図５】
2009011625.tif 000007
【図６】
2009011625.tif 000008
【図７】
2009011625.tif 000009
【図８】
2009011625.tif 000010
【図９】
2009011625.tif 000011
【図１０】
2009011625.tif 000012
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
２個一対の背負い具ひもを有し、この背負い具ひもには、上端に背負い具本体の上部に設けられた取付け部に対して着脱自在な第１の着脱具がそれぞれ設けられ、下端に背負い具本体の下部の左右に設けられた取付け部に対して着脱自在な第２の着脱具がそれぞれ設けられている背負い具用ひもにおいて、前記一対の背負い具ひもの背中の首筋側に対応する部分には、一対の背負い具ひもの幅が調整可能な横幅調整帯が取付けられ、前記一対の横幅調整帯は、それぞれ前記背負い具ひもに沿って上下動可能に設けられていることを特徴とする背負い具用ひも。
【請求項２】
請求項１記載の背負い具用ひもの第１及び第２の着脱具を背負い具本体の上部及び下部の取付け部に取付けたことを特徴とする背負い具。
【請求項３】
２個一対の背負い具ひもは、上端が背負い具本体の上部にそれぞれ固着され、下端が背負い具本体の下部の左右にそれぞれ固着されている背負い具において、前記一対の背負い具ひもの背中の首筋側に対応する部分には、一対の背負い具ひもの幅が調整可能な横幅調整帯が取付けられ、前記一対の横幅調整帯は、それぞれ前記背負い具ひもに沿って上下動可能に設けられていることを特徴とする背負い具。
【請求項４】
前記背負い具ひもは、上方部の肩ひもと、この肩ひもの下部に取付けられた調整具と、この調整具に挿通されて折り返されて調整具折り返し部を形成した調整ひもとを有し、前記調整ひもの調整具折り返し部は、リングに挿通され、一方端部はリングに挿通されて背負い具本体の下部に設けられた取付け部に着脱自在な第２の着脱具を有するか、又は背負い具本体の下部に固着され、他方端部は下方に垂れ下がって端部を前記リングに取付けられて垂れ下がり部を形成していることを特徴とする請求項１記載の背負い具用ひも、請求項２又は３記載の背負い具。
【手続補正２】
【補正対象書類名】明細書
【補正対象項目名】０００７
【補正方法】変更
【補正の内容】
【０００７】
上記課題を解決するための本発明の請求項１は、２個一対の背負い具ひもを有し、この背負い具ひもには、上端に背負い具本体の上部に設けられた取付け部に対して着脱自在な第１の着脱具がそれぞれ設けられ、下端に背負い具本体の下部の左右に設けられた取付け部に対して着脱自在な第２の着脱具がそれぞれ設けられている背負い具用ひもにおいて、前記一対の背負い具ひもの背中の首筋側に対応する部分には、一対の背負い具ひもの幅が調整可能な横幅調整帯が取付けられ、前記一対の横幅調整帯は、それぞれ前記背負い具ひもに沿って上下動可能に設けられていることを特徴とする。
【手続補正３】
【補正対象書類名】明細書
【補正対象項目名】０００９
【補正方法】変更
【補正の内容】
【０００９】
上記課題を解決するための本発明の請求項３は、２個一対の背負い具ひもは、上端が背負い具本体の上部にそれぞれ固着され、下端が背負い具本体の下部の左右にそれぞれ固着されている背負い具において、前記一対の背負い具ひもの背中の首筋側に対応する部分には、一対の背負い具ひもの幅が調整可能な横幅調整帯が取付けられ、前記一対の横幅調整帯は、それぞれ前記背負い具ひもに沿って上下動可能に設けられていることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
上記課題を解決するための本発明の請求項４は、上記請求項１、２又は３において、前記背負い具ひもは、上方部の肩ひもと、この肩ひもの下部に取付けられた調整具と、この調整具に挿通されて折り返されて調整具折り返し部を形成した調整ひもとを有し、前記調整ひもの調整具折り返し部は、リングに挿通され、一方端部はリングに挿通されて背負い具本体の下部に設けられた取付け部に着脱自在な第２の着脱具を有するか、又は背負い具本体の下部に固着され、他方端部は下方に垂れ下がって端部を前記リングに取付けられて垂れ下がり部を形成していることを特徴とする。
【手続補正６】
【補正対象書類名】明細書
【補正対象項目名】００１２
【補正方法】変更
【補正の内容】
【００１２】
請求項１又は３によると、横幅調整帯により、一対の背負い具ひもの背中の首筋側に対応する部分の幅を調整できるので、背負い具ひもの首後方部分の広がり幅を調節することができる。これにより、背負い具本体を背負った場合、背負い具ひもの肩部分は首側に位置するようになるので、背負い具ひもが肩からずり落ちるのを防止することができる。即ち、体格によって肩ひもの広がりが調整できるので、子供から大人まで背負い具ひもが肩からずり落ちずに快適に背負うことができる。
【手続補正７】
【補正対象書類名】明細書
【補正対象項目名】００１３
【補正方法】変更
【補正の内容】
【００１３】
また、横幅調整帯は背負い具ひもに沿って上下動できるようになっているので、横幅調整帯を上方に位置させて背負い具本体を背負うと、横幅調整帯部分が首に近くなり、背負い具本体を背中に密着するように背負うことができる。逆に横幅調整帯を下方に位置させて背負うと、横幅調整帯部分が首から離れるので、背負い具本体をゆったりと緩く背負うことができる。即ち、横幅調整帯の上下位置を調整することにより、背負い具ひもが肩からずり落ちるのを防止する効果の他に、背中に密着するように、又はゆったりと好みに応じて背負うことができるようなる。また人によっては、左右の肩のいずれかがより下がっている場合がある。この場合には、下がっている側の背負い具ひもの横幅調整帯を上方に移動させると、この際の背負い具ひもの横幅調整帯は斜めになり、下がっている肩側の背負い具ひもが首側に寄せられるので、より快適に背負うことができる。
【手続補正８】
【補正対象書類名】明細書
【補正対象項目名】００１４
【補正方法】変更
【補正の内容】
【００１４】
請求項４によれば、背負い具本体内の収納物を取り出す場合、背負った背負い具本体を体の前側に持ってくることができ、また逆に体の前側の背負い具本体を容易に背負うことができる。また背負い具ひもは、肩ひもと調整ひもの他に、調整具と単純なリングでよく、更に調整具及びリングへの調整ひもの挿入も単純であるので、コスト低減が図れる。